(57)【特許請求の範囲】
【請求項１】
電気ケーブルのための電気コネクタであって、以下の：
第１ケーブルを受けるための１の接続スリーブ（１０３，５０１）；及び、
前記接続スリーブ（１０３，５０１）中の第１ケーブルをインターロッキングするための第１固定ピン（１０５、５１９）がある１の固定要素（１０１、５０３）を備え、
ここで、前記固定要素（１０１、５０３）は、第１固定ピン（１０５、５１９）により前記第１ケーブルを前記接続スリーブ（１０３，５０１）中にインターロッキングするために、前記接続スリーブ（１０３，５０１）上に配置され、
前記接続スリーブ（１０３、５０１）が第２電気ケーブルに取り付けられており、かつ、前記固定要素（１０１、５０３）は、前記接続スリーブ（１０３、５０１）中に第２ケーブルをインターロッキングする第２固定ピン（４０１、５２１）を含み、
前記接続スリーブ（１０３，５０１）には、少なくとも１の固定ピン（１０５、４０１、５１９、５２１）を受けるための少なくとも１の開口部（１０９、３０９、５２５、５２７）がある１のスリーブ壁（１０７、５２３）があり、
前記接続スリーブ（１０３，５０１）は、各電気ケーブルを受けるための少なくとも１つの接続部（１２７、５１５、５１７）を含み、
前記各固定ピン（１０５、４０１、５１９、５２１）が絶縁プラスチックから構成される、
電気コネクタ。
【請求項２】
前記接続スリーブ（１０３，５０１）の断面が環状、特に矩形環状である、請求項１記載の電気コネクタ。
【請求項３】
前記固定要素（１０１、５０３）に前記接続スリーブ（１０３、５０１）が接続された、特に、スナップイン結合で接続された、請求項１又は２記載の電気コネクタ。
【請求項４】
前記接続スリーブに少なくとも１つのスナップイン凸部があり、かつ、前記固定要素に、前記スナップイン凸部を受けるための少なくとも１つのスナップイン凹部があるか；又は、前記接続スリーブに少なくとも１つのスナップイン凹部があり、かつ、前記固定要素に少なくとも１つのスナップイン凸部がある、請求項３記載の電気コネクタ。
【請求項５】
インターロッキングのため、特に１の孔又は開口部を形成するように、各ケーブルが形成されるように、各固定ピン（１０５、４０１、５１９、５２１）が構成される、請求項１〜４のいずれか１項記載の電気コネクタ。
【請求項６】
インターロッキングのために、少なくとも部分的に、各ケーブルの絶縁層に貫通するか又は各ケーブルの絶縁層を突き抜けるように、各固定ピン（１０５、４０１、５１９、５２１）が構成される、請求項１〜５のいずれか１項記載の電気コネクタ。
【請求項７】
各固定ピン（１０５、４０１、５１９、５２１）が各電気ケーブルにより駆動されるか、又は、インターロッキングが各々行われるように、各電気ケーブルが突き抜けるように各固定ピン（１０５、４０１、５１９、５２１）が構成される、請求項５又は６記載の電気コネクタ。
【請求項８】
各電気ケーブルが１のプリント回路板、特にフレキシブルプリント回路板であり；前記各プリント回路板には基層があり；インターロッキングが各々行われるように、各基層中で各プリント回路板を貫通するように、特に各基層を突き抜けるように、各固定ピン（１０５、４０１、５１９、５２１）が構成される、請求項５〜７のいずれか１項記載の電気コネクタ。
【請求項９】
各電気ケーブルには１の開口部があり、かつ、インターロッキングが各々行われるように、各固定ピン（１０５、４０１、５１９、５２１）は各開口部に挿入できる、請求項１〜８のいずれか１項記載の電気コネクタ。
【請求項１０】
前記接続スリーブ（１０３，５０１）は、各電気ケーブルの少なくとも１つの導電路と電気接触される、請求項１〜９のいずれか１項記載の電気コネクタ。
【請求項１１】
前記接続部（１２７、５１５、５１７）は、各ケーブルの少なくとも１つの導電路と電気接触する少なくとも１つの電気接触部（５２９ａ−５２９ｄ）を含む、請求項１記載の電気コネクタ。 
【請求項１２】
前記固定要素（１０１、５０３）及び前記接続スリーブ（１０３，５０１）が接合して防水ハウジングを形成する、請求項１〜１１のいずれか１項記載の電気コネクタ。
【請求項１３】
１つのＬＥＤバンドの少なくとも１つのストライプ状導電路、又は、少なくとも１つのフレキシブルプリント回路板、と接触する請求項１〜１２のいずれか１項記載の電気コネクタ。
【発明の詳細な説明】
【技術分野】
【０００１】
本発明は、電気ケーブル、特にフレキシブル電気ケーブルのための電気コネクタに関する。
【背景技術】
【０００２】
フレキシブル電気ケーブルの周知のコネクタ、例えばフレキシブルプリント回路板又はＬＥＤストライプ、はクランプベースであり、通常は、オペレータが電気ケーブルの接続末端をクランプに挿入し、かつ、弾性接触要素に対して回転可能に取り付けられたノブによって抑制されるように構成され、それは特許文献１に記載されている。フレキシブルプリント配線板用コネクタはまた、特許文献１により、端子領域に配置するためのフレキシブル回路板が、圧力手段により取付けられたカバーの下に固定されることが知られており、それは特許文献２に記載されている。
【先行技術文献】
【特許文献】
【０００３】
【特許文献１】欧州特許出願公報第０７７３６０８号
【特許文献２】ドイツ特許出願公報第１０２００７０６３２１７号
【発明の概要】
【発明が解決しようとする課題】
【０００４】
クランプベースの固定は、しかしながら、電気ケーブルが故意に抜けえないためには高いクランプ力が必要である。それを克服するためには、固定システムは比較的堅牢に作製されなければならず、その製造は高価である。
【０００５】
さらに、電気ケーブルによる固定にはプラグ−ソケット接続が用いられるが、それは例えば、フレキシブルプリント回路板上にはんだ付けされる。その際、しかしながら、電気接続の故意の分離を回避するためには常に追加の張力緩和が必要となる。
【０００６】
そのため、本発明の目的は、良好な特性がある電気コネクタを提供することである。
【課題を解決するための手段】
【０００７】
当該目的は、本発明の独立クレームの発明の対象により解決される。有利な発展は、本発明の従属項、図面及び明細書の対象である。
【０００８】
本発明は、上記目的が、固定ピンがある電気コネクタにより達成されうるという知見に基づく。当該固定ピンは、例えば、電気ケーブル、例えばフレキシブルプリント回路板等の中の基板に挿入されえ、それにより、当該コネクタからの滑出から保護される。さらに、当該固定ピンは当該電気ケーブル、例えば、基板の開口部に収容されうる。当該開口部は、予め製造されるか、さらに先が尖ってよい固定ピンにより生成されてよい。これにより、ケーブルの導電路は損傷されることがなく再使用されうる。電気接続、例えば接続バネは、導電路の電気接続に用いられる。
【０００９】
本発明の１の側面は、接続スリーブがある電気ケーブル、特に、フレキシブル電気ケーブルのための電気コネクタであって、第１ケーブルを受けるための１の接続スリーブ；及び、前記接続スリーブ中の第１ケーブルをインターロッキングするための第１固定ピンがある１の固定要素を備える。ここで、前記固定要素は、第１固定ピンにより前記第１ケーブルを前記接続スリーブ中にインターロッキングするために、前記接続スリーブ上に配置される。
【００１０】
インターロッキング固定とは、電気ケーブルの固定ピンに対する柔軟性を制限するいかなる機械的固定をも意図する。
【００１１】
その結果、フレキシブルプリント回路板又はＬＥＤストライプがコンパクトに接続されうる。そして、その他のはんだ付けが必要ない。さらに、電気ケーブルの電気導電路の接続のために必要な力はごくわずかであるが、それは、固定ピンにより張力緩和が確実になるからである。固定ピンを用いることにより、電気ケーブルは電気コネクタから抜けないように効率的に保護される。同時に、保護されたＬＥＤストライプ又はフレキシブルプリント回路板又は一般的なフレキシブルケーブル内は当該コネクタ内で、例えば当該電気コネクタにより保持される。
【００１２】
１の実施の形態では、唯一のケーブルの固定や保持に対して当該電気コネクタが形成されてよい。その場合、当該電気コネクタは、当該電気ケーブルに接続されることが実現されうる、電気接続部を含んでよい。
【００１３】
他の実施の態様としては、当該電気コネクタは、しかしながら、複数の、例えば２つの電気ケーブルが固定及び保持されてよい。その場合、電気ケーブルの電気誘電路が電気スリーブによって電気的に接続されうるが、ここで、各ケーブルは、各ケーブルに関連する固定ピンのうちの１つにより、固定されるか又はフレキシブルでありうる。
【００１４】
以下の態様は、原則として上記２つの実施の形態に基づいて示される。
【００１５】
本発明の電気コネクタの１の態様は、前記接続スリーブの断面が環状、特に矩形環状である、電気コネクタに関する。それにより、当該第１電気ケーブルは、接続スリーブ中に挿入されえ、かつ、電気的に、例えば接続バネにより接続されうる。
【００１６】
本発明の電気コネクタの１の態様は、前記固定要素に前記接続スリーブが接続された、特に、スナップイン結合で接続された、電気コネクタに関する。
【００１７】
本発明の電気コネクタの１の態様は、前記接続スリーブに少なくとも１つのスナップイン凸部があり、かつ、前記固定要素に、前記スナップイン凸部を受けるための少なくとも１つのスナップイン凹部があるか；又は、前記接続スリーブに少なくとも１つのスナップイン凹部があり、かつ、前記固定要素に少なくとも１つのスナップイン凸部がある、電気コネクタに関する。当該スナップイン凸部は、スナップホックとして構成されてよい。１つの態様としては、単に２つのスナップホックが、接続スリーブ又は固定要素に供され、それは、固定要素又は接続スリーブの２つのスナップイン凹部に対応して係合する。しかしながら、例えば、隅に配置される複数のスナップホック及びスナップイン凹部が供されてよい。
【００１８】
本発明の電気コネクタの１の態様は、前記接続スリーブが第２電気ケーブルに取り付けられており、かつ、前記固定要素は、前記接続スリーブ中に第２ケーブルをインターロッキングする第２固定ピンを含む、電気コネクタに関する。その結果、電気コネクタによって、２つのケーブルは電気的に接続されえ、固定ピンにより固定されうる。
【００１９】
本発明の電気コネクタの１の態様は、前記接続スリーブに少なくとも１の固定ピンを受けるための少なくとも１の開口部がある１のスリーブ壁がある電気コネクタに関する。その結果、各固定ピンは接続スリーブの内部接続部に挿入されて各ケーブルが固定されうる。
【００２０】
本発明の電気コネクタの１の態様は、インターロッキングのため、特に１の孔又は開口部を形成するように、各ケーブルが形成されるように、各固定ピンが構成される、電気コネクタに関する。
【００２１】
本発明の電気コネクタの１の態様は、インターロッキングのために、少なくとも部分的に、各ケーブルの絶縁層に貫通するか又は各ケーブルの絶縁層を突き抜けるように、各固定ピンが構成される、電気コネクタに関する。この場合、各固定ピンは、例えば２つの導電路の間の絶縁帯を突き出てよい。
【００２２】
本発明の電気コネクタの１の態様は、各固定ピンが各電気ケーブルにより駆動されるか、又は、インターロッキングが各々行われるように、各電気ケーブルが突き抜けるように各固定ピンが構成される、電気コネクタに関する。
【００２３】
本発明の電気コネクタの１の態様は、各電気ケーブルが１のプリント回路板、特にフレキシブルプリント回路板であり；前記各プリント回路板には基層があり；インターロッキングが各々行われるように、各基層中で各プリント回路板を貫通するように、特に各基層を突き抜けるように、各固定ピンが構成される、電気コネクタに関する。
【００２４】
本発明の電気コネクタの１の態様は、各電気ケーブルには１の開口部があり、かつ、インターロッキングが各々行われるように、各固定ピンは各開口部に挿入できる、電気コネクタに関する。
【００２５】
本発明の電気コネクタの１の態様は、前記接続スリーブは、各電気ケーブルの少なくとも１つの導電路と電気接触される、電気コネクタに関する。
【００２６】
本発明の電気コネクタの１の態様は、前記接続スリーブは、各電気ケーブルを受けるための少なくとも１つの接続部を含む、電気コネクタに関する。１の態様では、各ケーブルのためにある接続部が供されてよい。
【００２７】
本発明の電気コネクタの１の態様は、前記接続部は、各ケーブルの少なくとも１つの導電路と電気接触する少なくとも１つの電気接触部を含む、電気コネクタに関する。１又はそれ以上の電気接続部は接続バネであってよい。
【００２８】
本発明の電気コネクタの１の態様は、前記固定要素及び前記接続スリーブが接続してポケット様ハウジング、特に防水ハウジングを形成する電気コネクタに関する。その際、絶縁層がある接続スリーブ及び／又は接続要素を備えてよく、ポケット様ハウジング内部への水の侵入を防止する。ポケット様ハウジングはその他電気絶縁として機能してよい。
【００２９】
本発明の電気コネクタの１の態様は、上記いずれか一つの電気コネクタに関し、接続部は、プラスチック、特にゲル状プラスチックのある接続スリーブを備えて、当該電気ケーブルを少なくとも一部分取り囲む。
【００３０】
本発明の電気コネクタの１の態様は、前記各固定ピンがプラスチック、特に絶縁プラスチックから構成される電気コネクタに関する。当該各固定ピンは好ましくは伝導でなく、すなわち、電気伝導率は、金属の電気伝導率よりも低いことを示しうる。
【００３１】
本発明の他の側面は、１つのＬＥＤバンドの少なくとも１つのストライプ状導電路、又は、少なくとも１つのプリント回路板、特にフレキシブルプリント回路板と接触する電気コネクタの使用に関する。
【００３２】
本発明の他の側面は、基質があるフレキシブルプリント回路板であって、前記基質に、１つの電気コネクタ、特に本発明のコネクタの１つの固定ピンによりフレキシブルプリント回路板をインターロッキングする開口部が形成された、フレキシブルプリント回路板に関する。
【００３３】
他の態様は、添付図面を参照する下記記載でより詳細に説明されるであろう。
【図面の簡単な説明】
【００３４】
【図１】図１は、電気コネクタである。
【図２】図２は、図１の電気コネクタである。
【図３】図３は、図１の電気コネクタの要素である。
【図４】図４は、図１の電気コネクタの固定要素である。
【図５ａ】図５ａは、電気コネクタである。
【図５ｂ】図５ｂは、電気コネクタである。
【図５ｃ】図５ｃは、電気コネクタである。
【図５ｄ】図５ｄは、電気コネクタである。
【図５ｅ】図５ｅは、電気コネクタである。
【図５ｆ】図５ｆは、電気コネクタである。
【発明を実施するための形態】
【００３５】
図１は、電気コネクタの１の態様を示す。当該電気コネクタは、固定要素１０１及び接続スリーブ１０３を含む。当該固定要素１０１は、図１には示されない第１電気ケーブル、例えば電気導電路又はＬＥＤストライプがあるフレキシブルプリント回路板の１つを固定するための第１固定ピン１０５を含む。
【００３６】
当該接続スリーブ１０３は、電気ケーブルを受けるのに用いられ、第１固定ピン１０５を受けるための少なくとも１の開口部１０９があるスリーブ壁１０７を含む。
【００３７】
当該固定要素１０１は、例えば隅にスナップイン凹部１１１、１１３、１１５及び１１７がある長方形の基板の形である。当該スナップイン凹部１１１〜１１７は対応する接続スリーブ１０３のスナップイン凸部１１９、１２１、１２３を受けるために供されるが、長方形の基板１２５を形成する上部スリーブ壁１０７が隅にアレンジされる。
【００３８】
当該接続スリーブ１０３の断面は、例えば中空状であり第１電気ケーブルを受けるための接続部１２７があるが、当該接続部１２７の断面は矩形状であってよい。その結果、例えばＬＥＤストライプ又はバンド等の平らなケーブルは接続部１２７にぴったり挿入されうる。電気接続は、電気ケーブルの１又は複数の導電路の接続のための電気接続部が接続部１２７に供されてよい。
【００３９】
接続スリーブ１０３の接続部１２７は、電気ケーブルを両側で受けるために供されてよい。１の態様では、接続スリーブ１０３は、接続部１２７付近に第２ケーブルを受けるための他の接続部があってよい。接続部では、対になって互いに接続される電気接続が供されてよく、例えば接続スリーブ、ケーブル等の導電路の間の電気固定が生じる。
【００４０】
接続スリーブ１０３は１又はそれ以上の部分で構成されてよい。そして、例えば、基板１２５は、接続スリーブ１０３のＵ字基部１２９に搭載されるか又は固定されてよい。基板１２５及びＵ字基部１２９はしかしながら、統合されて構成されてよい。
【００４１】
１の態様は、図１に示されるコネクタには複数の固定ピンがあってよい。しかしながら、他の態様では、電気コネクタは固定ピンが１つのみである。その結果、例えば接続部又は接続はＬＥＤストライプ又はプリント回路板で実現されうる。さらに、図１に示されるコネクタは、固定ピンで電気的に接続される接続末端があってよい。
【００４２】
図２は、図１に示すコネクタ及び各々導電路２０５ａ、２０５ｂ、２０５ｃ及び２０５ｄを供する２つのフレキシブルプリント回路板２０１，２０３を示す。当該導電路２０５ａ‐２０５ｄは例えば電気接続平面あるいは接続パッドである。それは、当該導電路２０５ａ‐２０５ｄをフレキシブルプリント回路板２０１，２０３に供し、ユーザによって固定要素の適合する接続領域の末端に押し込まれ得る。その後、フレキシブルプリント回路板２０１，２０３は、接続スリーブ１０３で固定する固定要素１０１を押し下げて固定される。それにより固定はさらに強化され、各固定ピンが各プリント回路板２０１，２０３を貫通する。
【００４３】
接続スリーブ１０３には各導電路２０５ａ、２０５ｂ、２０５ｃ及び２０５ｄのための電気接続部があってよい。当該電気接続部、例えば接続バネは、各々の電気ケーブルが供される、接続スリーブの接続部１２７又は接続スリーブ１０３の向かい側にある接続部に設置されてよい。
【００４４】
１の態様は、各フレキシブルプリント回路板２０１，２０３中又は各フレキシブルプリント回路板２０１，２０３の各基質２０２、２０４中にへこみを形成することにより、突出は各固定ピンに代替される。さらに固定ピンの先端は例えば丸くてよい。
【００４５】
図３は、図１及び２に示された電気コネクタの要素を詳細に示す。当該基板１２５は、図４に示される第２固定ピン４０１のための第２開口部３０１を含む。図４に示すように、固定要素１０１は、他に、固定要素１０１の隅にアレンジされて他のスナップイン結合のために供される、スナップイン凸部４０３、４０５、４０７及び４０９があってよい。さらに、基板１２５は他に、スナップイン凸部４０３、４０５、４０７及び４０９を固定しうるように受ける、スナップイン凹部３０３、３０５、３０７及び３０９があってよい。図３には、固定要素のスナップイン凹部１１１中に嵌合しうる接続スリーブ１０３の他のスナップイン凸部３１１が示される。
【００４６】
図５ａ〜５ｆでは、接続スリーブ５０１及び接続スリーブ５０１に設置される固定要素５０３がある電気コネクタが示される。接続スリーブ５０１及び／又は固定要素５０３は単一部品として形成される。
【００４７】
固定要素５０３は適合するスナップイン凹部５０９、５１１で接続スリーブ５０１と嵌合する側面に配置されたスナップイン凸部５０５、５０７を含む。スナップイン凹部５０９、５１１は接続スリーブ５０１中で側面に構成されてよい。その結果、接続スリーブ５０１と固定要素５０３の間にスナップイン結合が構成される。
【００４８】
図５ｄ〜５ｆに示されるように、電気コネクタは第１ケーブル２０１及び第２ケーブル２０３の電気接続に供されてよい、ケーブル２０１、２０３の各々は接続スリーブ５０１の接続空間５１５、５１７に側面から押し込まれ、そこで、接続空間５１５に挿入しうる第１固定ピン５１９及び接続空間５１７に挿入しうる第２固定ピン５２１により各々インターロッキング固定される。さらに、固定ピン５１９、５２１は、各プリント回路板２０１、２０３又はその基板を貫通しうるか、又は、プリント回路板２０１、２０３に予め作製された開口部と嵌合してよい。第１固定ピン５１９及び第２固定ピン５２１は固定要素５０３に形成するか又は該固定要素５０３に固定される。
【００４９】
接続空間５１５、５１７へ固定ピン５１９、５２１を挿入するために、接続スリーブ５０１のスリーブ壁５２３で開口部５２５、５２７が形成される。
【００５０】
プリント回路板２０１，２０３の導電路２０５ａ‐２０５ｄを電気接続するために、接続空間に各電気接続部５２９ａ、５２９ｂ、５２９ｃ及び５２９ｄがアレンジされる。電気接続部５２９ａ、５２９ｂ、５２９ｃ及び５２９ｄは、例えば、接続バネとして構成されてよい。さらに、電気接続部５２９ａ、５２９ｂ、５２９ｃ及び５２９ｄは、アレンジされた接続要素、例えば接続ブラケットに対して各々２つずつ互いに対になってもよい。
【００５１】
電気接続部５２９ａ、５２９ｂ、５２９ｃ及び５２９ｄは、さらに各々２つずつ互いに対で接続されてもよい。固定パターンは、例えばプリント回路板２０１，２０３の電気接続部５２９ａ‐５２９ａ、５２９ｂ‐５２９ｂ、５２９ｃ‐５２９ｃ及び５２９ｄ‐５２９ｄに各々対応する電気的固定を含んでよい。
【００５２】
図１〜５に示されたコネクタは、例えば、ＬＥＤストライプ又はフレキシブルプリント回路板がインストールされたり解体されたりしうる、牽引力を受けるように構成される。さらに、プリント回路板又はＬＥＤストライプの接触部は、電気接続部が構成されうる他の要素により接続されてよい。
【００５３】
緊張緩和は、特に、ケーブル、例えばＬＥＤストライプ、につき少なくとも１の固定ピンにより実現される。ＬＥＤストライプ又はフレキシブルプリント回路板が接続される場合、固定ピンは、ユーザによりプリント回路板に押しつけられる。各固定ピンは固定要素でアレンジされ、ここで、固定要素１０１は、例えば、各固定ピン又は複数の固定ピンの開口部で接続スリーブのある電気ケーブルで押され、確実に固定されて緊張緩和を受ける。各固定ピン又は複数の固定ピンは、ＬＥＤストライプにより固定ピンを押しても導電路が阻害されないようにアレンジされうる。
【符号の説明】
【００５４】
１０１  固定要素
１０３  接続スリーブ
１０５  固定ピン
１０７  スリーブ壁
１０９  開口部
１１１  スナップイン凹部
１１３  スナップイン凹部
１１５  スナップイン凹部
１１７  スナップイン凹部
１１９  スナップイン凸部
１２１  スナップイン凸部
１２３  スナップイン凸部
１２５  基板
１２７  接続部（接続空間）
１２９  Ｕ字基部
２０１  フレキシブルプリント回路板
２０２  基層
２０３  フレキシブルプリント回路板
２０４  基層
２０５ａ  導電路
２０５ｂ  導電路
２０５ｃ  導電路
２０５ｄ  導電路
３０１  開口部
３０３  スナップイン凹部
３０５  スナップイン凹部
３０７  スナップイン凹部
３０９  スナップイン凹部
３１１  スナップイン凸部
４０１  第２固定ピン
４０３  スナップイン凸部
４０５  スナップイン凸部
４０７  スナップイン凸部
４０９  スナップイン凸部
５０１  接続スリーブ
５０３  固定要素
５０５  スナップイン凸部
５０７  スナップイン凸部
５０９  スナップイン凹部
５１１  スナップイン凹部
５１５  接続部
５１７  接続部
５１９  第１固定ピン
５２１  第２固定ピン
５２３  スリーブ壁
５２５  開口部
５２７  開口部
５２９ａ  電気接触部
５２９ｂ  電気接触部
５２９ｃ  電気接触部
５２９ｄ  電気接触部
【図１】
0005955407.tif 000002
【図２】
0005955407.tif 000003
【図３】
0005955407.tif 000004
【図４】
0005955407.tif 000005
【図５ａ】
0005955407.tif 000006
【図５ｂ】
0005955407.tif 000007
【図５ｃ】
0005955407.tif 000008
【図５ｄ】
0005955407.tif 000009
【図５ｅ】
0005955407.tif 000010
【図５ｆ】
0005955407.tif 000011